(57)【要約】【課題】本発明は、半導体レーザチップからの排熱性に優れるとともに、ヒートシンクの形状を加工することなく、半導体レーザチップの光出射端面側への導電性接着層のはみ出しを抑制し、光出射端面側にはみ出した導電性接着層を残存させることのない半導体レーザ装置の製造方法および半導体レーザ装置を提供する。【解決手段】基体１１の一端面１１ａと半導体レーザチップ１３の光出射端面１３ａとが略同一面となるように、基体１１上に導電性接着層１２を介して半導体レーザチップ１３が配置された半導体レーザ装置の製造方法である。そして、基体１１の端面１１ａに、導電性接着層１２のはみ出しを抑制するように、端面１１ａにおける半導体レーザチップ１３の近傍となる領域に、基体１１よりも導電性接着層１２との濡れ性が悪い材料からなる被覆層２１を形成する工程を行う。次に、被覆層２１が設けられた端面１１ａと光出射端面１３ａとが略同一面となるように、基体１１上に導電性接着層１２を介して半導体レーザチップ１３を固定する工程を行う。【選択図】図１
2007157961.tif 000002
【特許請求の範囲】
【請求項１】
基体の一端面と半導体レーザチップの光出射端面とが略同一面となるように、当該基体上に導電性接着層を介して当該半導体レーザチップが配置された半導体レーザ装置の製造方法であって、
前記基体の前記端面への前記導電性接着層のはみ出しを抑制するように、前記端面における少なくとも前記半導体レーザチップの近傍となる領域に、前記基体よりも前記導電性接着層との濡れ性が悪い材料からなる前記被覆層を形成する第１工程と、
前記被覆層が設けられた前記端面と前記光出射端面とが略同一面となるように、前記基体上に前記導電性接着層を介して前記半導体レーザチップを固定する第２工程とを有する
ことを特徴とする半導体レーザ装置の製造方法。
【請求項２】
前記第１工程では、
前記基体の前記端面における少なくとも前記半導体レーザチップの近傍となる領域に前記被覆層を形成するとともに、前記基体の表面における前記半導体レーザチップを配置する領域の周囲に、部分的に前記被覆層を形成する
ことを特徴とする請求項１記載の半導体レーザ装置の製造方法。
【請求項３】
前記第１工程では、
前記基体の前記端面における少なくとも前記半導体レーザチップの近傍となる領域に前記被覆層を形成するとともに、前記基体の表面における前記半導体レーザチップを配置する領域の周囲を囲う状態で前記被覆層を形成する
ことを特徴とする請求項１記載の半導体レーザ装置の製造方法。
【請求項４】
前記第２工程の後に、
前記被覆層上にはみ出した前記導電性接着層を、前記被覆層に対して選択的に除去する
ことを特徴とする請求項１記載の半導体レーザ装置の製造方法。
【請求項５】
前記第２工程の後に、
前記被覆層上にはみ出した前記導電性接着層を、前記被覆層とともに除去する
ことを特徴とする請求項１記載の半導体レーザ装置の製造方法。
【請求項６】
基体の一端面と半導体レーザチップの光出射端面とが略同一面となるように、当該基体上に導電性接着層を介して当該半導体レーザチップが配置された半導体レーザ装置であって、
前記基体の前記端面における少なくとも前記半導体レーザチップの近傍の領域に、前記基体よりも前記導電性接着層との濡れ性が悪い材料からなる被覆層が設けられている
ことを特徴とする半導体レーザ装置。
【発明の詳細な説明】
【技術分野】
【０００１】
本発明は、半導体レーザ装置の製造方法および半導体レーザ装置に関し、特に、ヒートシンクの一端面と半導体レーザチップの光出射端面とが略同一面となるように、ヒートシンク上に半田層を介して半導体レーザチップが固定された半導体レーザ装置に関する。
【背景技術】
【０００２】
半導体レーザチップは発熱する電子デバイスであるため、熱をヒートシンク等の排熱部品に放出することが必要である。そこで、放熱を行うために、半導体レーザチップは、高熱伝導の金属やセラミック等からなるヒートシンクまたはヒートスプレッタ等と半田材料を介して熱接合される。
【０００３】
ここで、従来の半導体レーザ装置の製造方法について、図６（ａ）の上面図および図６（ｂ）のＹ−Ｙ’断面図を用いて説明すると、まず、ヒートシンクからなる基体１１の表面における半導体レーザチップを配置する領域に、成形された半田箔からなる導電性接着層１２を載置する。この導電性接着層１２は半導体レーザチップ１３を接合するためのマージンをとって余剰に供給する。次に、ケラレの発生を防止するため、半導体レーザチップ１３の光出射端面１３ａと基体１１の一端面１１ａとが略同一面となるように、基体１１上に導電性接着層１２を介して半導体レーザチップ１３を配置する。次いで、半田材料からなる導電性接着層１２を溶融することで、半導体レーザチップ１３を基体１１の表面に固定する。この際、導電性接着層１２は、半導体レーザチップ１３の周囲の基体１１の表面および光出射端面１３ａと略同一面に配置された端面１１ａにはみ出して広がる。
【０００４】
このため、はみ出した半田が半導体レーザチップ１３の端面に付着し、ＰＮ接合の短絡回路を形成してリーク原因となるだけでなく、図６（ｂ）の断面図に示すように、光出射端面１３ａ側にはみ出した半田の盛り上がり（Ｂ部分）によってレーザの発光点が塞がれてしまうことがある。通常、導電性接着層１２には、基体１１との濡れ性がよい半田材料を用いるため、はみ出した半田は基体１１に強固に付着しており、半田を除去することは難しい。
【０００５】
特に、半導体レーザチップ１３からの排熱性を高めるためにＰＮ接合分岐点がヒートシンクからなる基体１１に近くなるように半導体レーザチップ１３を基体１１上に固定する、いわゆるジャンクションダウンマウントを行っている半導体レーザ装置では、はみ出した半田の付着によるＰＮ接合の短絡回路が形成され易く、リークが生じ易い。また、発光点もヒートシンクに近いため、はみ出した半田により発光点が塞がれ易い。
【０００６】
さらに、半導体レーザ装置には、出射されるレーザ光を光学部品を透過させて平行光にしたり、焦点を持つようにする際に、マイクロレンズと呼ばれる非常に小さな光学レンズ等を実装することがある。この場合には、マイクロレンズを上記半導体レーザチップの光出射端面の近傍に実装するため、半田が光出射端面側にはみ出している場合にはマイクロレンズの実装が不可能になってしまう場合がある。
【０００７】
そこで、ヒートシンク（ステム）における半導体レーザチップの光出射面の角部を面取
り加工する、または曲状に加工して、ヒートシンクまたはサブマウントの一端の端面から、導電性ダイボンドペーストを介して、半導体レーザチップの発光点側の端面（光出射端面）を迫り出すように半導体レーザチップを配設する半導体レーザ装置の製造方法の例が記載されている（例えば、特許文献１参照）。
【０００８】
このような半導体レーザ装置の製造方法では、半導体レーザチップの光出射端面側への導電性ダイボンドペーストのはみ出しが防止されるため、はみ出した導電性ダイボンドペーストによる短絡回路の形成や、発光点が塞がれることが防止され、半導体レーザチップの光出射端面の近傍にマイクロレンズ等の光学部品を実装することも可能である。
【０００９】
【特許文献１】特開２００１−２２３４２５号公報
【発明の開示】
【発明が解決しようとする課題】
【００１０】
しかし、上述したような半導体レーザ装置の製造方法では、半導体レーザチップにおいて、最も発熱する光出射端面の下部側がヒートシンクと離間した状態となり、半導体レーザチップの光出射端面の下部側とヒートシンクとの間に導電性ダイボンドペーストが厚く設けられた状態となる。そして、一般的に導電性ダイボンドペーストは熱抵抗が高く、導電性ダイボンドペーストの代わりに半田材料を用いたとしても半田材料の熱抵抗も高いことから、半導体レーザチップからの排熱性が悪くなり、半導体レーザ装置の性能が劣化するという問題が生じている。
【００１１】
また、ヒートシンクにおける半導体レーザチップの光出射端面側の角部を面取り加工する、または曲状に加工するため、工程が煩雑であり、半導体レーザチップのマウントの位置決めに重要なエッジ精度も出難いという問題もある。
【００１２】
そこで、本発明は、半導体レーザチップからの排熱性に優れるとともに、ヒートシンクの形状を加工することなく、半導体レーザチップの光出射端面側への導電性接着層のはみ出しを抑制し、光出射端面側にはみ出した導電性接着層を残存させることのない半導体レーザ装置の製造方法および半導体レーザ装置を提供することを目的とする。
【課題を解決するための手段】
【００１３】
上記目的を達成するために、本発明の半導体レーザ装置の製造方法は、基体の一端面と半導体レーザチップの光出射端面とが略同一面となるように、基体上に導電性接着層を介して半導体レーザチップが配置された半導体レーザ装置の製造方法であって、次のような工程を順次行うことを特徴としている。まず、第１工程では、基体の端面への導電性接着層のはみ出しを抑制するように、端面における少なくとも半導体レーザチップの近傍となる領域に、基体よりも導電性接着層との濡れ性が悪い材料からなる被覆層を形成する工程を行う。次に、第２工程では、被覆層が設けられた端面と光出射端面とが略同一面となるように、基体上に導電性接着層を介して半導体レーザチップを固定する工程を行う。
【００１４】
このような半導体レーザ装置の製造方法によれば、基体の端面に被覆層を形成した後、この端面と半導体レーザチップの光出射端面とが略同一面となるように、基体上に導電性接着層を介して半導体レーザチップを固定することから、半導体レーザチップの光出射端面の下部側が例えばヒートシンクからなる基体と離間しない状態で維持される。これにより、排熱性に優れた半導体レーザ装置を製造することが可能となる。
【００１５】
また、基体の端面への導電性接着層のはみ出しを抑制するように、端面における少なくとも半導体レーザチップの近傍となる領域に、基体よりも導電性接着層との濡れ性が悪い材料からなる被覆層を形成するため、上記端面側、すなわち光出射端面側への導電性接着層のはみ出しが抑制される。また、上記端面に設けられた被覆層上に導電性接着層がはみ出したとしても、被覆層は基体よりも導電性接着層との濡れ性が悪い材料で形成されるため、導電性接着層が被覆層から剥がれ易く、導電性接着層のみを被覆層に対して選択的に除去することが可能となる。
【００１６】
これにより、基体の形状を加工しなくても半導体レーザチップの光出射端面側にはみ出した導電性接着層が残存しないため、はみ出した導電性接着層が光出射端面に付着することによる短絡回路の形成や、リークが防止される。また、はみ出した導電性接着層の盛り上がりにより光出射端面の発光点が塞がれることが防止される。さらに、半導体レーザチップの光出射端面側にはみ出した導電性接着層が残存しないことで、マイクロレンズ等の光学部品を、半導体レーザチップの光出射端面近傍に配置することが可能となる。
【００１７】
また、本発明の半導体レーザ装置は、基体の一端面と半導体レーザチップの光出射端面とが略同一面となるように、基体上に導電性接着層を介して半導体レーザチップが配置された半導体レーザ装置であって、基体の上記端面における少なくとも半導体レーザチップの近傍の領域に、基体よりも導電性接着層との濡れ性が悪い材料からなる被覆層が設けられていることを特徴としている。
【００１８】
このような半導体レーザ装置は、上述した半導体レーザ装置の製造方法により製造される。このような半導体レーザ装置によれば、半導体レーザチップの光出射端面の下部側が例えばヒートシンクからなる基体と離間していないことから、排熱性に優れている。
【発明の効果】
【００１９】
以上説明したように、本発明の半導体レーザ装置の製造方法およびこれにより得られる半導体レーザ装置によれば、排熱性に優れていることから、半導体レーザチップの劣化が抑制されるため、半導体レーザ装置の性能を向上させることができる。また、基体の形状を加工することなく、はみ出した導電性接着層による短絡回路の形成や、発光点が塞がれることが防止されることから、半導体レーザ装置の歩留まりを向上させることができる。さらに、マイクロレンズ等の光学部品を、半導体レーザチップの光出射端面近傍に配置することができるため、用途に合わせた光学部品を半導体レーザ装置に実装することができる。
【発明を実施するための最良の形態】
【００２０】
以下、本発明の半導体レーザ装置の製造方法に係る実施の形態を、図面に基づいて詳細に説明する。なお、本実施形態においては、半導体レーザ装置の構成を製造工程順に説明する。
【００２１】
（第１実施形態）
図１〜図２は、本実施形態における半導体レーザ装置の製造方法を説明するための斜視図およびＸ−Ｘ’断面図である。図１（ａ）に示すように、例えば直方体状のＣｕブロックで構成されたヒートシンクからなる基体１１上には、後工程で、基体１１の一端面１１ａと半導体レーザチップの光出射端面が略同一面となるように、導電性接着層を介して半導体レーザチップが配置される。
【００２２】
ここで、上記基体１１の端面１１ａへの導電性接着層のはみ出しを抑制するように、この端面１１ａにおける少なくとも半導体レーザチップの近傍となる領域に、基体１１よりも上記導電性接着層との濡れ性の悪い材料からなる被覆層２１を形成する。
【００２３】
この被覆層２１を構成する材料は、基体１１よりも導電性接着層との濡れ性が悪ければ、特に限定されるものではなく、絶縁材料であっても導電材料であってもよい。ただし、導電性接着層に半田材料を用いる場合には、半田材料の溶融温度で変性しない材質で構成することが好ましく、導電性接着層に導電性フィラーを含有した熱硬化性樹脂からなる導電性ダイボンドペーストを用いる場合には、その硬化温度で変性しない材質であることが好ましい。
【００２４】
上述したような半田材料または導電性ダイボンドペーストを導電性接着層に用いる場合の被覆層２１の一例としては、酸化アルミニウム（Ａｌ2Ｏ3）または酸化シリコン（ＳｉＯ2）が挙げられる。ただし、導電性接着層がアルミニウム（Ａｌ）を含む場合には、Ａｌを含有しない材料を選択することとする。ここでは、後述するように、導電性接着層に金錫（ＡｕＳｎ）からなる半田材料を用いることから、被覆層２１に例えばＡｌ2Ｏ3を用いることとする。
【００２５】
そして、被覆層２１を形成する領域は、端面１１ａにおける少なくとも半導体レーザチップの近傍となる領域であり、導電性接着層がはみ出すと想定される領域とする。これにより、被覆層２１は基体１１よりも濡れ性の悪い材質で形成されることから、後工程で導電性接着層を溶融させる際に、基体１１の端面１１ａ側、すなわち、半導体レーザチップの光出射端面側への導電性接着層のはみ出しが抑制される。さらに、導電性接着層が端面１１ａ側にはみ出した場合であっても、基体１１よりも濡れ性の悪い材料で構成された被覆層２１上にはみ出すため、導電性接着層が被覆層２１から剥がれ易い。
【００２６】
被覆層２１の形成領域は、導電性接着層の材質や供給量により適宜設定されることが好ましいが、例えば、端面１１ａの上辺から下辺に向けての長さＬが１００μｍ以上１ｍｍ以下で、端面１１ａの上辺に沿った幅Ｗが基体１１の表面に配置される半導体レーザチップよりも一回り大きい幅で被覆層２１を形成すれば、端面１１ａ側に導電性接着層がはみ出す場合であっても被覆層２１上にはみ出させることが可能となる。
【００２７】
ここでは、端面１１ａにおいて、上記範囲に示す半導体レーザチップの近傍となる領域のみを覆うように形成することとするが、例えば、被覆層２１における端面１１ａの上辺方向の幅Ｗを上記端面１１ａの同一方向の幅と等しくしてもよく、端面１１ａの全域に被覆層２１を形成してもよい。ただし、半導体レーザ装置にマイクロレンズ等の光学部品を実装する場合には、基体１１の端面１１ａの下部側に接着層を介して光学部品を接合させることから、接着層と基体１１との接着力が悪化しないように、上記長さＬの範囲で形成することが好ましい。
【００２８】
また、被覆層２１の膜厚は、端面１１ａ側に１０μｍ〜数百μｍ程度の間隔で光学部品を配置可能であり、被覆層２１によりレーザ光のケラレが発生しない程度の膜厚であることが好ましく、１０ｎｍ〜数十μｍの範囲であることとする。ここでは、例えば１μｍの膜厚で被覆層２１を形成する。
【００２９】
被覆層２１の形成方法としては、例えば上記範囲の領域が開口されたマスクを用いたスパッタリング法により、Ａｌ2Ｏ3からなる被覆層２１をパターン形成する。なお、スパッタリング法以外に、蒸着法で形成してもよく、メッキ法によりＡｌ膜を形成し、酸化させることで、表面側がＡｌ2Ｏ3からなる被覆層２１を形成してもよい。ただし、メッキ法により被覆層２１を形成する場合には、パターンニングは困難であることから、端面１１ａの全域に形成することが好ましい。
【００３０】
次いで、図１（ｂ）に示すように、後工程で半導体レーザチップを配置する基体１１の表面の一領域に、例えば半田材料からなる導電性接着層１２を形成する。ここでは、上記領域に、約２７０℃で溶融する金錫（ＡｕＳｎ）からなる成型されたシート状の半田箔を、半導体レーザチップと接合するためのマージンをとって余剰に供給することとする。
【００３１】
なお、ここでは、半田材料により導電性接着層１２が構成されることとするが、導電性接着層１２の構成材料は半田材料に限定されることなく、導電性ダイボンドペーストを用いることも可能である。導電性ダイボンドペーストとしては、銀（Ａｇ）のフィラーを熱硬化型エポキシ樹脂に混ぜた銀ペーストや、グラファイト粉末を熱硬化型エポキシ樹脂に混ぜたもの等が挙げられる。
【００３２】
続いて、上記導電性接着層１２上に半導体レーザチップ１３を配置する。この際、基体１１の端面１１ａと半導体レーザチップ１３の光出射端面１３ａが、略同一面となるように、半導体レーザチップ１３を導電性接着層１２を介して基体１１上に配置する。この際、半導体レーザチップ１３のＰＮ接合分岐点が基体１１に近くなるように、ジャンクションダウンマウントを行うことで、半導体レーザチップ１３からの排熱性を高めることができるとともに、発光点が基体１１側に近い状態で配置されるため、光出射端面１３ａ側への導電性接着層１２のはみ出しが防止されることによる効果を顕著に奏することができるため、好ましい。
【００３３】
その後、３００℃程度の熱をかけることで、半田材料からなる導電性接着層１２を溶融し、半導体レーザチップ１３を基体１１の表面に固定する。この際、導電性接着層１２は半導体チップ１３の周囲にはみ出すが、光出射端面１３ａと略同一面となるように配置される端面１１ａには被覆層２１が形成されていることから、端面１１ａへの導電性接着層１２のはみ出しが抑制される。これにより、はみ出した導電性接着層１２が光出射端面１３ａに付着することによるＰＮ接合の短絡回路の形成が防止され、はみ出した導電性接着層１２の盛り上がりにより、発光点が塞がれることが防止される。
【００３４】
ただし、導電性接着層１２の材質や供給量によっては、図２（ｃ）に示すように、導電性接着層１２が端面１１ａに設けられた被覆層２１上にはみ出す場合もある。この場合であっても、被覆層２１は基体１１よりも導電性接着層１２との濡れ性の悪い材料で形成されているため、導電性接着層１２を構成する半田材料は被覆層２１の表面に密着せずに球状に固まる。
【００３５】
次いで、図２（ｄ）に示すように、何らかの治具または手により光出射端面１３ａ側にはみ出した導電性接着層１２を、被覆層２１に対して選択的に除去する。この際、被覆層２１上に導電性接着層１２は球状に固まっていることから、例えば上方から治具の刃先等を被覆層２１と導電性接着層１２との界面に当てる程度で、導電性接着層１２を被覆層２１から簡単に取り除くことが可能となる。
【００３６】
以上のようにして、基体１１の端面１１ａと半導体レーザチップ１３の光出射端面１３ａとが略同一面となるように、基体１１上に導電性接着層１２を介して半導体レーザチップ１３が配置された半導体レーザ装置が完成する。そして、この基体１１の端面１１ａにおける半導体レーザチップの近傍領域には、被覆層２１が残存した状態となる。
【００３７】
この後の工程の一例としては、図３に示すように、上記基体１１の端面１１ａの下部側に、例えば紫外線硬化樹脂からなる接着層３１を介して、半導体レーザチップ１３の光出射端面１３ａと対向するように、光出射端面１３ａから５０μｍ〜１００μｍ程度離間した状態で、マイクロレンズ等の光学部品３２を配置する。
【００３８】
このような半導体レーザ装置の製造方法およびこれにより得られる半導体レーザ装置によれば、基体１１の端面１１ａに被覆層２１を形成した後、端面１１ａと光出射端面１３ａとが略同一面となるように、基体１１上に導電性接着層１２を介して半導体レーザチップ１３を固定することから、半導体レーザチップ１３の光出射端面１３ａの下部側がヒートシンク（基体１１）と離間しない状態で維持される。したがって、半導体レーザチップ１３からの排熱性に優れていることから、半導体レーザチップ１３の劣化が抑制されるため、半導体レーザ装置の性能を向上させることができる。
【００３９】
また、基体１１の端面１１ａへの導電性接着層１２のはみ出しを抑制するように、端面１１ａにおける少なくとも半導体レーザチップ１３の近傍となる領域に、基体１１よりも導電性接着層１２との濡れ性が悪い材料からなる被覆層２１を形成するため、端面１１ａ側、すなわち光出射端面１３ａ側への導電性接着層１２のはみ出しが抑制される。また、端面１１ａに設けられた被覆層２１上に導電性接着層１２がはみ出したとしても、被覆層２１は基体１１よりも導電性接着層１２との濡れ性が悪い材料で形成されるため、導電性接着層１２が被覆層２１から剥がれ易く、導電性接着層１２のみを被覆層２１に対して選択的に除去することが可能となる。
【００４０】
これにより、基体１１の形状を加工しなくても、半導体レーザチップ１３の光出射端面１３ａ側にはみ出した導電性接着層１２が残存することが防止されるため、はみ出した導電性接着層１２が光出射端面１３ａに付着することによる短絡回路の形成やリークが防止される。さらに、はみ出した導電性接着層１２の盛り上がりにより光出射端面１３ａの発光点が塞がれることが防止される。したがって、製造コストが抑制されるとともに、半導体レーザ装置の歩留まりを向上させることができる。
【００４１】
また、半導体レーザチップ１３の光出射端面１３ａ側にはみ出した導電性接着層１２が残存しないことで、マイクロレンズ等の光学部品３２を、半導体レーザチップ１３の光出射端面１３ａ近傍に配置することが可能となる。したがって、用途に合わせた光学部品をレーザ装置に実装することができる。
【００４２】
（変形例１）
上記実施形態の変形例１について、図４を用いて説明する。なお、実施形態と同様の構成には、同一の番号を付して説明する。本変形例１では、図４（ａ）に示すように、実施形態と同様に、基体１１の端面１１ａに被覆層２１を形成するとともに、基体１１の表面における半導体レーザチップを配置する領域１１ｂの周囲に、部分的に被覆層２１’を形成する。この被覆層２１’は、実施形態の被覆層２１と同一の材料で同様の形成方法により形成されることとする。
【００４３】
ここでは、例えば領域１１ｂにおける半導体レーザチップの光出射端面側とは反対側の辺に沿って、基体１１の表面に被覆層２１’を形成する。これにより、後工程で、上記領域１１ｂに載置する導電性接着層を溶融する際に、導電性接着層が端面１１ａ側にはみ出すことを抑制するだけでなく、光出射端面の反対側へのはみ出しが抑制される。よって、半導体レーザチップの光出射端面とは反対側の基体１１の表面領域に配置される電極等の部品とのリークが防止される。
【００４４】
この際、基体の表面に形成される被覆層２１’の幅Ｗ’は、半導体レーザチップ（領域１１ｂ’）の幅よりも一回り大きく、長さＬ’は導電性接着層１２の材質や供給量および基体１１の表面に形成する電極の位置等により適宜設定されることとする。
【００４５】
次いで、図４（ｂ）に示すように、被覆層２１、２１’が形成された基体１１上に、端面１１ａと光出射端面１３ａとが略同一面となるように、導電性接着層１２を介して半導体レーザチップ１３を配置する。その後、導電性接着層１２を溶融すると、基体１１よりも濡れ性が悪い材料で覆われた端面１１ａ側および光出射端面１３ａとは反対側の基体１１の表面側への導電性接着層１２のはみ出しが抑制される。すなわち、図中の矢印Ａに示すように、半導体レーザチップ１３の光出射方向とは直交する方向の基体１１の表面に導電性接着層１２がはみ出し易くなり、導電性接着層１２のはみ出し方向を制御することが可能となる。
【００４６】
また、導電性接着層１２を溶融する際に、端面１１ａを覆う被覆層２１上および基体１１の表面を覆う被覆層２１’上に導電性接着層１２がはみ出したとしても、被覆層２１、２１’は導電性接着層１２との濡れ性が悪い材料で形成されていることから、被覆層２１から導電性接着層１２が剥がれ易く、導電性接着層１２を容易に取り除くことが可能となる。以上のようにして製造された半導体レーザ装置は、基体１１の端面１１ａと表面に被覆層２１、２１’が残存した状態となる。
【００４７】
このような半導体レーザ装置の製造方法およびこれにより製造される半導体装置であっても、端面１１ａと光出射端面１３ａとが略同一面となるように、半導体レーザチップ１３を配置することから、半導体レーザチップ１３の光出射端面１３ａの下部側と基体１１とが離間しない状態で維持される。また、端面１１ａに被覆層２１を形成することで、基体１１の形状を加工することなく、光出射端面１３ａ側への導電性接着層１２のはみ出しを抑制し、はみ出した導電性接着層１２の残存も防止されるため、実施形態と同様の効果を奏することができる。
【００４８】
さらに、本変形例１の半導体レーザ装置の製造方法およびこれにより製造される半導体レーザ装置によれば、基体１１の表面における半導体レーザチップを配置する領域１１ｂの周囲に部分的に被覆層２１’を形成することで、導電性接着層１２のはみ出し方向を制御することができる。これにより、基体１１の表面に設けられる電極などの部品とはみ出した半田とのリークを防止することができる。
【００４９】
（変形例２）
また、図５（ａ）に示すように、変形例１における被覆層２１’を基体１１の表面における上記領域１１ｂを囲う状態で形成してもよい。この場合には、図５（ｂ）に示すように、導電性接着層１２を溶融する際に、導電性接着層１２の半導体レーザチップからのはみ出し自体が抑制されるため、導電性接着層１２の厚みを導電性接着層の供給量で制御することが可能である。なお、ここでは、基体１１の表面における領域１１ｂの周囲を囲う状態で被覆層２１を形成することとしたが、基体１１の表面に形成する部品等の設置上の問題がなければ、上記領域１１ｂを除く表面全域に被覆層２１を形成しても構わない。
【００５０】
また、導電性接着層１２を溶融する際、導電性接着層１２がはみ出す場合には、半導体レーザチップ１３は端面１１ａ側も含めて被覆層２１、２１’で囲われていることから、導電性接着層１２のはみ出しが方向付けされることはない。ただし、導電性接着層１２がはみ出した場合であっても、被覆層２１、２１’は導電性接着層１２との濡れ性が悪い材料で形成されていることから、導電性接着層１２を被覆層２１、２１’から容易に除去することが可能である。以上のようにして製造された半導体レーザ装置は、基体１１の端面１１ａと表面に被覆層２１、２１’が残存した状態となる。
【００５１】
このような半導体レーザ装置の製造方法およびこれにより製造される半導体装置であっても、端面１１ａと光出射端面１３ａとが略同一面となるように、半導体レーザチップ１３を配置することから、半導体レーザチップ１３の光出射端面１３ａの下部側と基体１１とが離間しない状態で維持される。また、基体１１の形状を加工することなく、光出射端面１３ａ側への導電性接着層１２のはみ出しを抑制し、はみ出した導電性接着層１２の残存も防止されるため、上記実施形態と同様の効果を奏することができる。
【００５２】
さらに、本変形例２の半導体レーザ装置の製造方法およびこれにより製造される半導体レーザ装置によれば、基体１１の表面における半導体レーザチップ１３を配置する領域１１ｂを囲う状態で被覆層２１、２１’を形成することから、導電性接着層１２のはみ出し自体が抑制され、基体１１の表面に設けられる電極等の部品とはみ出した半田とのリークを防止することができる。
【００５３】
（変形例３）
上述した実施形態では、図１〜図２を用いて説明したように、被覆層２１上にはみ出した導電性接着層１２を選択的に除去する例について説明したが、被覆層２１とともにはみ出した導電性接着層１２を除去してもよい。
【００５４】
この場合には、図１（ａ）を用いて説明した工程において、基体１１（Ｃｕ）よりも導電性接着層１２（ＡｕＳｎ）との濡れ性の悪い、例えばフッ素樹脂からなる耐熱性シールで被覆層２１を形成する。そして、基体１１の端面１１ａにおける半導体レーザチップの近傍となる領域に、上記耐熱性シールを貼り付けることで、被覆層２１を形成する。次いで、図１（ｂ）、図２（ｃ）を用いて説明したように、半導体レーザチップ１３を導電性接着層１２を介して基体１１の表面に固定する。その後、図２（ｄ）を用いて説明した工程では、耐熱性シールからなる被覆層２１を剥がして取り除く。この際、被覆層２１上にはみ出した導電性接着層１２は、被覆層２１とともに除去される。
【００５５】
なお、ここでは、被覆層２１として耐熱性シールを用いた例について説明したが、例えば実施形態と同様に、Ａｌ2Ｏ3からなる被覆層２１を形成し、被覆層２１をウェットエッチングにより除去してもよい。この場合には、半導体レーザチップ１３の光出射端面１３ａが汚染されないように、光出射端面１３ａを保護した状態でウェットエッチングを行うこととする。これにより、被覆層２１とともに、被覆層２１上に付着した導電性接着層１２が除去することも可能である。
【００５６】
このような半導体レーザ装置の製造方法およびこれにより製造される半導体装置であっても、端面１１ａと光出射端面１３ａとが略同一面となるように、半導体レーザチップ１３を配置することから、半導体レーザチップ１３の光出射端面１３ａの下部側と基体１１とが離間しない状態で維持される。また、基体１１の形状を加工せずに、光出射端面１３ａ側への導電性接着層１２のはみ出しを抑制し、はみ出した導電性接着層１２を被覆層２１とともに除去するため、実施形態と同様の効果を奏することができる。
【００５７】
なお、この変形例３は、上述した変形例１、２にも適用可能である。
【００５８】
また、上述した実施形態および変形例１〜３については、基体１１がヒートシンクである例について説明したが、基体１１がヒートシンク上に配置されるサブマウントであっても本発明は適用可能である。
【００５９】
さらに、ヒートシンクとサブマウントの端面および半導体レーザチップの光出射端面が略同一面となるように、それぞれが導電性接着層を介して配置された半導体レーザ装置を製造する際に、ヒートシンクとサブマウントの上記端面に被覆層を形成してもよい。この場合には、サブマウントの上記端面における少なくとも半導体レーザチップの近傍となる領域に被覆層を形成するとともに、ヒートシンクの上記端面における少なくともサブマウントの近傍となる領域に被覆層を形成する。これにより、半導体レーザチップおよびサブマウントの光出射端面側への導電性接着層のはみ出しが抑制される。
【００６０】
さらに、変形例１または変形例２と同様に、サブマウントの表面における半導体レーザチップの配置領域の周囲およびヒートシンクの表面におけるサブマウントの配置領域の周囲に被覆層を形成してもよい。例えば、変形例１と同様に、サブマウントの光出射端面側とは反対側の端面の底辺に沿って、ヒートシンクの表面に被覆層を形成することで、例えばヒートシンクの表面に配置される電極とはみ出した半田とのリークが防止できるため、好ましい。
【図面の簡単な説明】
【００６１】
【図１】本発明の半導体レーザ装置の製造方法に係る実施形態を説明するための製造工程図（斜視図，断面図）である（その１）。
【図２】本発明の半導体レーザ装置の製造方法に係る実施形態を説明するための製造工程図（斜視図，断面図）である（その２）。
【図３】本発明の半導体レーザ装置の製造方法に係る実施形態を説明するための断面図である。
【図４】本発明の半導体レーザ装置の製造方法に係る実施形態の変形例１を説明するための斜視図である。
【図５】本発明の半導体レーザ装置の製造方法に係る実施形態の変形例２を説明するための斜視図である。
【図６】従来の半導体装置の製造方法を説明するための上面図および断面図である。
【符号の説明】
【００６２】
１１，２１…基体、１１ａ…端面、１２…導電性接着層、１３…半導体レーザチップ、１３ａ…光出射端面、２１，２１’…被覆層
【図１】
2007157961.tif 000003
【図２】
2007157961.tif 000004
【図３】
2007157961.tif 000005
【図４】
2007157961.tif 000006
【図５】
2007157961.tif 000007
【図６】
2007157961.tif 000008